(57)【要約】【課題】吸込み口の後方に配置されるローラに、種々の機能を備えさせることができる吸込み具を提供する。【解決手段】吸込み具２は、ケース２０、支持部２４、及びローラ２５を備える。ケース２０の下面に吸込み口１２が形成される。ローラ２５は、吸込み口１２の後方に配置される。ローラ２５の一部は、ケース２０の下面より下方に突出する。ローラ２５は、支持部２４に回転可能に支持された軸体２８と、軸体２８に設けられた植毛２９と、軸体２８に設けられた植毛３０とを備える。植毛２９の仕様は、植毛３０の仕様とは異なる。【選択図】図５
2019170501.tif 000002
【特許請求の範囲】
【請求項１】
下面に吸込み口が形成されたケースと、
ケースに設けられた支持部と、
前記吸込み口の後方に配置され、一部が前記ケースの前記下面より下方に突出するローラと、
を備え、
前記ローラは、
前記支持部に回転可能に支持された軸体と、
前記軸体に設けられた第１植毛と、
前記軸体に設けられた第２植毛と、
を備え、
前記第１植毛の仕様は、前記第２植毛の仕様とは異なる吸込み具。
【請求項２】
前記支持部は、前記ケースが後方に移動すると前記ローラが回転し、前記ケースが前方に移動すると前記ローラが回転しないように前記軸体を支持する請求項１に記載の吸込み具。
【請求項３】
前記ローラより前方に配置された回転ブラシを更に備え、
前記回転ブラシと前記ローラとの間に、前記吸込み口の少なくとも一部が配置された請求項１又は請求項２に記載の吸込み具。
【請求項４】
前記第１植毛は、前記第２植毛の硬さとは異なる硬さを有する請求項１から請求項３の何れか一項に記載の吸込み具。
【請求項５】
前記第１植毛は、前記第２植毛の長さとは異なる長さを有する請求項１から請求項３の何れか一項に記載の吸込み具。
【請求項６】
前記第１植毛は、前記第２植毛の形状とは異なる形状を有する請求項１から請求項３の何れか一項に記載の吸込み具。
【請求項７】
前記第１植毛及び前記第２植毛のうち、一方は直毛であり、他方は縮毛である請求項１から請求項３の何れか一項に記載の吸込み具。
【請求項８】
前記第１植毛及び前記第２植毛のうち、一方には、アレルギー物質の働きを抑制するための特定の処理が施され、
他方には、前記特定の処理が施されていない請求項１から請求項３の何れか一項に記載の吸込み具。
【請求項９】
前記第１植毛及び前記第２植毛のうち、一方は、他方の表面抵抗値より低い表面抵抗値を有する請求項１から請求項３の何れか一項に記載の吸込み具。
【請求項１０】
前記第２植毛は、前記軸体の一方の端部と他方の端部とに設けられ、
前記第１植毛は、前記軸体の前記一方の端部に設けられた前記第２植毛と前記軸体の前記他方の端部に設けられた前記第２植毛との間に配置された請求項１から請求項３の何れか一項に記載の吸込み具。
【請求項１１】
前記第１植毛は直毛であり、前記第２植毛は縮毛である請求項１０に記載の吸込み具。
【請求項１２】
前記第２植毛の密度は、前記第１植毛の密度より高い請求項１０に記載の吸込み具。
【請求項１３】
下面に吸込み口が形成された吸込み具と、
前記吸込み口からごみを吸込むための気流を発生させる送風機と、
前記吸込み具の支持部に着脱可能であり、前記支持部に支持されると前記吸込み口の後方に配置され、一部が前記吸込み具の前記下面より下方に突出する第１ローラと、
前記支持部に着脱可能であり、前記支持部に支持されると前記吸込み口の後方に配置され、一部が前記吸込み具の前記下面より下方に突出する第２ローラと、
を備え、
前記第１ローラは、
前記支持部に回転可能に支持される第１軸体と、
前記第１軸体に設けられた第１植毛、または前記第１植毛及び前記第１植毛と仕様の異なる第２植毛と、
を備え、
前記第２ローラは、
前記支持部に回転可能に支持される第２軸体と、
前記第２軸体に設けられた第３植毛、または前記第３植毛及び前記第３植毛と仕様の異なる第４植毛と、
を備え、
少なくとも前記第１ローラまたは前記第２ローラに仕様の異なる複数の植毛が設けられる場合、前記第２ローラに設けられる前記植毛は前記第１ローラに設けられる前記植毛と仕様が異なる植毛を含む電気掃除機。
【請求項１４】
前記支持部は、前記吸込み具が後方に移動すると前記第１ローラが回転し、前記吸込み具が前方に移動すると前記第１ローラが回転しないように前記第１ローラを支持する請求項１３に記載の電気掃除機。
【請求項１５】
前記吸込み具は回転ブラシを更に備え、
前記吸込み口の少なくとも一部は前記回転ブラシの後方に配置され、
前記回転ブラシは、前記支持部に支持された前記第１ローラより前方に配置される請求項１３又は請求項１４に記載の電気掃除機。
【発明の詳細な説明】
【技術分野】
【０００１】
この発明は、吸込み具及び電気掃除機に関する。
【背景技術】
【０００２】
特許文献１に、電気掃除機が記載されている。特許文献１に記載された電気掃除機は、吸込み具を備える。この吸込み具は、ブラシバーと後方ローラとを備える。
【先行技術文献】
【特許文献】
【０００３】
【特許文献１】特許第６１９３４９５号公報
【発明の概要】
【発明が解決しようとする課題】
【０００４】
特許文献１に記載された電気掃除機の後方ローラは、ストリップで覆われている。特許文献１には、ストリップの材料がブラシバーの房状の材料と同じであること以外に、ストリップに関する記載がない。特許文献１に記載された電気掃除機では、後方ローラが種々の機能を備えることができないといった問題があった。
【０００５】
この発明は、上述のような課題を解決するためになされた。この発明の目的は、吸込み口の後方に配置されるローラに種々の機能を備えさせることができる吸込み具を提供することである。また、この発明の他の目的は、このような吸込み具を備えた電気掃除機を提供することである。
【課題を解決するための手段】
【０００６】
この発明に係る吸込み具は、下面に吸込み口が形成されたケースと、ケースに設けられた支持部と、吸込み口の後方に配置され、一部がケースの下面より下方に突出するローラと、を備える。ローラは、支持部に回転可能に支持された軸体と、軸体に設けられた第１植毛と、軸体に設けられた第２植毛と、を備える。第１植毛の仕様は、第２植毛の仕様とは異なる。
【０００７】
この発明に係る電気掃除機は、下面に吸込み口が形成された吸込み具と、吸込み口からごみを吸込むための気流を発生させる送風機と、吸込み具の支持部に着脱可能であり、支持部に支持されると吸込み口の後方に配置され、一部が吸込み具の下面より下方に突出する第１ローラと、支持部に着脱可能であり、支持部に支持されると吸込み口の後方に配置され、一部が吸込み具の下面より下方に突出する第２ローラと、を備える。第１ローラは、支持部に回転可能に支持される第１軸体と、第１軸体に設けられた第１植毛、または第１植毛及び第１植毛と仕様の異なる第２植毛と、を備える。第２ローラは、支持部に回転可能に支持される第２軸体と、第２軸体に設けられた第３植毛、または第３植毛及び第３植毛と仕様の異なる第４植毛と、を備える。少なくとも第１ローラまたは第２ローラに仕様の異なる複数の植毛が設けられる場合、第２ローラに設けられる植毛は第１ローラに設けられる植毛と仕様が異なる植毛を含む。
【発明の効果】
【０００８】
この発明に係る吸込み具は、例えば吸込み口の後方に配置されたローラを備える。ローラは、第１植毛と第２植毛とを備える。第１植毛の仕様は、第２植毛の仕様とは異なる。この発明に係る吸込み具であれば、吸込み口の後方に配置されるローラに、種々の機能を備えさせることができる。
【図面の簡単な説明】
【０００９】
【図１】実施の形態１における電気掃除機の例を示す図である。
【図２】電気掃除機に備えられた機器の電気的な接続例を示す。
【図３】吸込み具の正面図である。
【図４】吸込み具の平面図である。
【図５】吸込み具の底面図である。
【図６】吸込み具の側面図である。
【図７】図４のＡ−Ａ断面を示す図である。
【図８】吸込み具の他の例を示す底面図である。
【図９】吸込み具の他の例を示す底面図である。
【発明を実施するための形態】
【００１０】
添付の図面を参照し、本発明を説明する。重複する説明は、適宜簡略化或いは省略する。各図において、同一の符号は同一の部分又は相当する部分を示す。
【００１１】
実施の形態１．
図１は、実施の形態１における電気掃除機１の例を示す図である。図１は、一例として、キャニスター型の電気掃除機１を示す。電気掃除機１は、スティック型でも良い。電気掃除機１は、ハンディ型でも良い。電気掃除機１は、例えば吸込み具２、延長パイプ３、操作体４、ホース５、及び本体６を備える。図２は、電気掃除機１に備えられた機器の電気的な接続例を示す。
【００１２】
吸込み具２は、延長パイプ３の一方の端部に接続される。吸込み具２は、延長パイプ３に着脱可能である。延長パイプ３は、伸縮可能である。延長パイプ３の他方の端部に操作体４が接続される。延長パイプ３は、操作体４に着脱可能である。操作体４は、ハンドル７を備える。ハンドル７に操作部８が備えられる。電気掃除機１の使用者は、掃除する際にハンドル７を持ち、吸込み具２を動かす。使用者は、例えばハンドル７を持つ手で操作部８を操作する。
【００１３】
操作体４に、ホース５の一方の端部が接続される。ホース５の他方の端部は、本体６に接続される。ホース５は、本体６に着脱可能である。本体６は、例えば送風機９、制御装置１０、及び集塵装置１１を備える。
【００１４】
吸込み具２に、吸込み口１２（図１では図示せず）が形成される。送風機９は、吸込み口１２からごみを吸込むための気流を発生させる。吸込み口１２から吸込まれたごみは集塵装置１１に溜まる。制御装置１０は、電気掃除機１に備えられた電気機器を制御する。制御装置１０は、例えば操作部８から入力された情報に基づいて電気機器の制御を行う。送風機９は、制御装置１０によって制御される。
【００１５】
図３は、吸込み具２の正面図である。図４は、吸込み具２の平面図である。図５は、吸込み具２の底面図である。図６は、吸込み具２の側面図である。吸込み具２に関しては、ハンドル７を持って掃除する人の向きを基準に、図３に示すように上下を特定する。同様に、図４に示すように前後及び左右を特定する。吸込み具２は、例えばケース２０、接続パイプ２１、回転ブラシ２２、モータ２３、支持部２４、及びローラ２５を備える。
【００１６】
ケース２０は、図４に示すように、上方から見て全体が長方形状である。ケース２０の下面に、ごみを吸込むための吸込み口１２が形成される。吸込み具２が床に置かれると、ケース２０の下面は床に対向する。ケース２０の下面は、吸込み具２の下面である。接続パイプ２１は、ケース２０の後方中央部から斜め上向きに延びる。接続パイプ２１の内側に形成された空間は、ケース２０の内側に形成された空間に通じる。延長パイプ３の一方の端部は、接続パイプ２１に接続される。
【００１７】
図７は、図４のＡ−Ａ断面を示す図である。回転ブラシ２２は、ケース２０に回転可能に支持される。回転ブラシ２２の回転軸２６は、ケース２０の内側に形成された空間に左右方向に配置される。回転ブラシ２２のうち回転軸２６から下方に延びる部分は、吸込み口１２を通過する。即ち、回転ブラシ２２は、少なくともその一部がケース２０から下方に突出する。回転ブラシ２２は、絨毯等の内部に入り込んだごみを掻き出すためのブラシである。吸込み口１２の少なくとも一部は、回転ブラシ２２の後方に配置される。
【００１８】
モータ２３は、回転ブラシ２２を回転させるための駆動力を発生する。即ち、回転ブラシ２２は、モータ２３によって回転駆動される。モータ２３は、ケース２０に支持される。モータ２３は、ケース２０の内側に形成された空間に配置される。モータ２３の駆動力は、例えばベルト２７によって回転ブラシ２２に伝達される。モータ２３は、制御装置１０に電気的に接続される。モータ２３は、制御装置１０によって制御される。
【００１９】
支持部２４は、ローラ２５を支持するための部材である。支持部２４は、ケース２０に設けられる。本実施の形態では、支持部２４がケース２０に一体的に設けられる例を示す。支持部２４は、例えば吸込み口１２より後方に配置される。
【００２０】
ローラ２５は、支持部２４に回転可能に支持される。例えば、ローラ２５は双方向に回転可能である。ローラ２５は、吸込み口１２の後方に配置される。なお、回転ブラシ２２は、ローラ２５より前方に配置されている。回転ブラシ２２とローラ２５との間には、吸込み口１２の少なくとも一部が配置される。ローラ２５は、例えば軸体２８、植毛２９、及び植毛３０を備える。ローラ２５は、複数種類の植毛を備えるローラの一例である。本実施の形態では、最も簡単な例としてローラ２５が２種類の植毛を備える例を示す。ローラ２５は、３種類以上の植毛を備えても良い。
【００２１】
軸体２８は、ローラ２５の回転軸である。軸体２８は、支持部２４に回転可能に支持される。軸体２８は、例えば回転ブラシ２２の回転軸２６と平行に配置される。植毛２９は第１植毛の例であり、軸体２８に設けられる。植毛３０は第２植毛の例であり、軸体２８に設けられる。軸体２８は、植毛２９及び植毛３０によって覆われる。植毛２９及び植毛３０のうち軸体２８から下方に延びる部分の先端は、ケース２０の下面より下方に配置される。即ち、ローラ２５は、少なくともその一部がケース２０の下面より下方に突出する。
【００２２】
図４及び図５に示す例では、植毛２９は、螺旋状に配置される。植毛３０は、軸体２８の全体を覆うように配置される。植毛３０が軸体２８を覆う面積は、植毛２９が軸体２８を覆う面積より広い。
【００２３】
植毛２９は、特定の仕様の植毛である。植毛３０は、特定の仕様の植毛である。植毛２９の仕様は、植毛３０の仕様とは異なる。以下に、植毛２９の仕様が植毛３０の仕様と異なる例について詳しく説明する。
【００２４】
例えば、植毛２９は、植毛３０の硬さとは異なる硬さを有する。植毛２９は、植毛３０の長さとは異なる長さを有しても良い。植毛２９の硬さ及び長さが植毛３０の硬さ及び長さと異なっても良い。例えば、植毛２９は植毛３０より長く、柔らかい。かかる場合、植毛２９によって床とのシール性を確保できる。また、吸込み具２が後方に進む場合は、絨毯等の内部に入り込んだごみを植毛３０によって掻き出すことができる。
【００２５】
他の例として、植毛２９は、植毛３０の形状とは異なる形状を有しても良い。例えば、植毛２９は直毛であり、植毛３０は縮毛である。かかる場合、植毛２９によって床とのシール性を確保できる。また、植毛３０によってごみを絡めて捕捉することができる。なお、植毛２９が縮毛であり、植毛３０が直毛であっても良い。
【００２６】
他の例として、花粉、或いはダニの死骸といった特定のアレルギー物質の働きを抑制する効果を持っているか否かによって仕様が相違しても良い。例えば、植毛２９には、アレルギー物質の働きを抑制するための特定の処理が施される。植毛３０には、アレルギー物質の働きを抑制するための特定の処理は施されない。上記「アレルギー物質の働きを抑制する」とは、例えば、アレルギー物質を無害なたんぱく質に変えることである。この例では、植毛３０を他の機能に特化させることができる。例えば、植毛３０によって床とのシール性を確保しても良い。なお、植毛３０に、アレルギー物質の働きを抑制するための特定の処理が施され、植毛２９に、アレルギー物質の働きを抑制するための特定の処理が施されなくても良い。
【００２７】
他の例として、帯電を防止する効果を持っているか否かによって仕様が相違しても良い。例えば、植毛３０は、植毛２９の表面抵抗値より低い表面抵抗値を有する。この例では、植毛２９を他の機能に特化させることができる。例えば、植毛２９によって床とのシール性を確保しても良い。なお、植毛２９が、植毛３０の表面抵抗値より低い表面抵抗値を有しても良い。
【００２８】
他の例として、植毛２９の密度と植毛３０の密度とを異なる値にしても良い。例えば、植毛３０の密度は、植毛２９の密度より高い。この例でも、植毛２９を他の機能に特化させることができる。例えば、植毛２９によって床とのシール性を確保しても良い。
【００２９】
本実施の形態に示す例では、ローラ２５は、仕様が異なる複数種類の植毛を備える。このため、本実施の形態に示す例であれば、ローラ２５に、植毛の仕様に応じた種々の機能を備えさせることができる。
【００３０】
以下に、吸込み具２が採用可能な他の機能について説明する。吸込み具２は、可能であれば、以下に示す複数の機能を組み合わせて採用しても良い。
【００３１】
本実施の形態では、ローラ２５が双方向に回転可能である例について説明した。これは一例である。例えば、ローラ２５は、一方向にのみ回転可能であっても良い。吸込み具２は、ローラ２５の回転方向を切替えるための手段を備えても良い。
【００３２】
例えば、支持部２４は、吸込み具２が床に置かれた状態でケース２０が後方に移動するとローラ２５が回転するように軸体２８を支持する。支持部２４は、吸込み具２が床に置かれた状態でケース２０が前方に移動するとローラ２５が回転しないように軸体２８を支持する。この例では、吸込み具２を前方に動かすと、植毛２９及び植毛３０によって床面を拭取ることができる、吸込み具２を後方に動かすと、植毛２９及び植毛３０が捕捉したごみを吸引することができる。この例では、ごみの拭取り効果を高めるために、植毛３０の密度を植毛２９の密度より高くしても良い。同様に、ごみの拭取り効果を高めるために、植毛２９を直毛にし、植毛３０を縮毛にしても良い。
【００３３】
本実施の形態では、植毛２９が螺旋状に配置される例について説明した。これは一例である。図８は、吸込み具２の他の例を示す底面図である。図８は、植毛２９が直線状に配置される例を示す。植毛２９は、軸体２８に平行になるように一直線状に配置される。図８に示す例でも、植毛３０は、軸体２８の全体を覆うように配置される。
【００３４】
図９は、吸込み具２の他の例を示す底面図である。図９に示す例では、植毛２９は、軸体２８の長手方向の中央部に設けられる。軸体２８の長手方向の中央部に植毛３０は設けられていない。一方、植毛３０は、軸体２８の一方の端部と他方の端部とに設けられる。軸体２８の両端部に植毛２９は設けられていない。植毛２９は、軸体２８の一方の端部に設けられた植毛３０と軸体２８の他方の端部に設けられた植毛３０との間に配置される。
【００３５】
図９に示す例では、ローラ２５の端部でのごみの拭取り効果を高めるために、植毛３０の密度を植毛２９の密度より高くしても良い。同様に、ローラ２５の端部でのごみの拭取り効果を高めるために、植毛２９を直毛にし、植毛３０を縮毛にしても良い。
【００３６】
本実施の形態では、回転ブラシ２２がモータ２３で駆動される例について説明した。これは一例である。回転ブラシ２２は、例えば送風機９の駆動時に発生する気流によって回転駆動されても良い。
【００３７】
上述したように、本実施の形態に示す例であれば、ローラ２５に、植毛の仕様に応じた種々の機能を備えさせることができる。このため、例えば電気掃除機１の販売形態として、１台の電気掃除機１に複数のローラ２５を含めても良い。
【００３８】
一例として、１台の電気掃除機１に２本のローラ２５が含まれる場合を考える。以下の説明では、便宜的に、一方のローラ２５に関しては符号の後にａを付し、他方のローラ２５に関しては符号の後にｂを付して表記する。また、以下の説明では、ローラ２５ａ及びローラ２５ｂは、吸込み具２に含まれないものとする。
【００３９】
ローラ２５ａは第１ローラの例であり、吸込み具２の支持部２４に着脱可能である。ローラ２５ａが支持部２４に支持されると、ローラ２５ａは、吸込み口１２の後方に配置される。ローラ２５ａが支持部２４に支持されると、ローラ２５ａは、一部が吸込み具２の下面より下方に突出する。ローラ２５ａとして、上述した何れの例を採用しても良い。また、吸込み具２が回転ブラシ２２を備える場合、回転ブラシ２２は、支持部２４に支持されたローラ２５ａより前方に配置される。
【００４０】
ローラ２５ｂは第２ローラの例であり、吸込み具２の支持部２４に着脱可能である。ローラ２５ｂが支持部２４に支持されると、ローラ２５ｂは、吸込み口１２の後方に配置される。ローラ２５ａが支持部２４に支持されると、ローラ２５ｂは、一部が吸込み具２の下面より下方に突出する。ローラ２５ｂとして、上述した何れの例を採用しても良い。
【００４１】
また、例えば、支持部２４は、吸込み具２が床に置かれた状態でケース２０が後方に移動するとローラ２５ａが回転するようにローラ２５ａを支持する。支持部２４は、吸込み具２が床に置かれた状態でケース２０が前方に移動するとローラ２５ａが回転しないようにローラ２５ａを支持する。このように構成することにより、回転しないローラ２５ａによる床面の拭き掃除を行うことができる。
【００４２】
ローラ２５ａは、例えば軸体２８ａ（第１軸体の例）、植毛２９ａ（第１植毛の例）、及び植毛２９ａと仕様の異なる植毛３０ａ（第２植毛の例）を備える。ローラ２５ｂは、例えば軸体２８ｂ（第２軸体の例）、植毛２９ｂ（第３植毛の例）、及び植毛２９ｂと仕様の異なる植毛３０ｂ（第４植毛の例）を備える。軸体２８ａは、支持部２４に回転可能に支持される。軸体２８ｂは、支持部２４に回転可能に支持される。例えば、植毛２９ａの仕様は、植毛３０ａの仕様と異なる。植毛２９ｂの仕様は、植毛３０ｂの仕様と異なる。また、植毛２９ａの仕様は、植毛２９ｂの仕様と異なる。植毛２９ａの仕様は、植毛３０ｂの仕様とは異なる。なお、植毛３０ａの仕様と植毛３０ｂの仕様とは同じであっても良いし、異なっても良い。植毛３０ａの仕様は、植毛２９ｂの仕様と異なることが好ましい。この例であれば、使用者は、電気掃除機１を使用する際に、掃除場所或いは用途等に応じて好みのローラ２５を選択することができる。なお、ローラ２５ａまたはローラ２５ｂの一方は、１種類の植毛を備えるようにしても良い。そして、少なくともローラ２５ａまたはローラ２５ｂに仕様の異なる複数の植毛が設けられる場合、ローラ２５ｂに設けられる植毛は、ローラ２５ａに設けられる植毛と仕様が異なる植毛を含むように構成しても良い。
【符号の説明】
【００４３】
１  電気掃除機、  ２  吸込み具、  ３  延長パイプ、  ４  操作体、  ５  ホース、  ６  本体、  ７  ハンドル、  ８  操作部、  ９  送風機、  １０  制御装置、  １１  集塵装置、  １２  吸込み口、  ２０  ケース、  ２１  接続パイプ、  ２２  回転ブラシ、  ２３  モータ、  ２４  支持部、  ２５  ローラ、  ２６  回転軸、  ２７  ベルト、  ２８  軸体、  ２９  植毛（第１植毛）、  ３０  植毛（第２植毛）
【図１】
2019170501.tif 000003
【図２】
2019170501.tif 000004
【図３】
2019170501.tif 000005
【図４】
2019170501.tif 000006
【図５】
2019170501.tif 000007
【図６】
2019170501.tif 000008
【図７】
2019170501.tif 000009
【図８】
2019170501.tif 000010
【図９】
2019170501.tif 000011